(57)【特許請求の範囲】
【請求項１】
インナーブーツが挿入されるアウターブーツを備えたスノーボードブーツであって、
前記インナーブーツのかかと部分、すね部分、甲部分及びつま先部分を一体として覆いつつ、その底部が前記アウターブーツの内底に縫いこまれ、前記底部以外の部分は固定されていないインナーカバーを有するスノーボードブーツ。
【請求項２】
前記インナーカバーは伸縮性を有する請求項１記載のスノーボードブーツ。
【請求項３】
前記インナーカバーは、前記インナーブーツに接する摩擦面を少なくとも含む請求項１又は２記載のスノーボードブーツ。
【請求項４】
前記アウターブーツのかかと部分と前記インナーカバーのかかと部分との間に、これらの部分を接合するファスナー部材を設けた請求項１〜３の何れかに記載のスノーボードブーツ。
【請求項５】
前記アウターブーツは舌革を備え、前記舌革の延在方向に沿って配置された骨部材を有する請求項１〜４の何れかに記載のスノーボードブーツ。
【発明の詳細な説明】
【０００１】
【発明の属する技術分野】
本発明は、スノーボードブーツに関する。
【０００２】
【従来の技術】
スノーボードブーツにはハードタイプのものとソフトタイプのものとがあるが、いずれのスノーボードブーツにおいても、ボードの操作性、すなわち重心移動に伴う力を正確に伝達できるかどうかはスノーボードブーツの重要な機能である。このボードの操作性の向上という観点から、脚にフィットする柔らかいインナーブーツを備えたスノーボードブーツが提案されている。このインナーブーツは、スノーボードブーツの外側を形成するアウターブーツに挿入され、挿入後にアウターブーツのふくらはぎ部分から延びる紐によって脚のすねの部分で結び付けられる。これによりインナーブーツはアウターブーツに固定される。
【０００３】
【発明が解決しようとする課題】
しかしながら、アウターブーツから延びる紐でインナーブーツを結び付ける手法によっては、インナーブーツの保持、特にかかと部分を安定して保持することができなかった。
すなわち、当初紐でインナーブーツをしっかりと結び付けたとしても、滑走中の重心移動の度に紐の結び目部分に力が掛かるので、結び目が移動して、インナーブーツの保持が緩み、ついにはインナーブーツがアウターブーツの中で泳いでしまう。こうなると、かかと部分が浮いてしまい、スノーボードブーツが脱げそうな不安定な状態となってしまう。
このように、かかとが不安定な状態では、つま先からかかとまでを利用した重心移動がうまくできず、バランスを欠いてしまい、思い通りにボードを操作することができないという問題があった。
本発明は、挿入されるインナーブーツを保持して、かかとの浮きを抑制できるスノーボードブーツを提供することを目的とする。
【０００４】
【課題を解決するための手段】
上記目的を達成するために、本願発明によれば、柔らかいインナーブーツが挿入されるアウターブーツを備えたスノーボードブーツであって、このアウターブーツの内底部分に固定され、インナーブーツのかかと部分、すね部分、甲部分及びつま先部分を一体に覆うインナーカバーを有するスノーボードブーツが提供される。
【０００５】
この発明によれば、アウターブーツに固定されたインナーカバーが、インナーブーツを包み込み、アウターブーツ内のインナーブーツを安定させる。特に本発明では、インナーブーツのかかと部分、すね部分、甲部分及びつま先部分を一体に覆うインナーカバーを設けることとし、インナーブーツのかかとの浮きを抑制する。よって、インナーブーツはアウターブーツと一体となり、ずれることなく、かかとが浮いてしまうこともなく、安定した状態を維持することができる。これにより、重心移動をボードへ正確に伝達でき、ボードの操作性を向上させたスノーボードブーツを提供することができる。
【０００６】
また、この発明に関し、インナーカバーは、アウターブーツの内底外延に沿って当該アウターブーツに固定されることが好ましく、そのインナーカバーは伸縮性を有するものであることが好ましい。
【０００７】
さらに、インナーカバーは、インナーブーツに接する摩擦面を少なくとも含むことにより、摩擦力でインナーブーツの浮きや移動を防ぐことができる。
【０００８】
また、アウターブーツのかかと部分とインナーカバーのかかと部分との間に、これらの部分を接合するファスナー部材を設けることが好ましい。
【０００９】
加えて、アウターブーツは舌革を備え、この舌革の延在方向に沿って配置された骨部材を有することが好ましい。この骨部材によりスノーボーダーの前傾姿勢を支え、前のめりにならないようにし、適切な姿勢を保つことができる。
【００１０】
【発明の実施の形態】
以下、本発明の実施形態を図面に基づいて説明する。図１は本実施形態にかかるスノーボードブーツの全体斜視図である。
この図１に示すように、スノーボードブーツ１の外側となるアウターブーツ３にはインナーブーツ２が挿入されている。このインナーブーツ２は弾力性のある柔らかい素材で構成され、装着者の足にフィットする。またインナーブーツ２はアウターブーツ３に着脱自在であり、少なくとも装着時又は滑走時に挿入される。  このアウターブーツ３とこれに挿入されるインナーブーツ２との間にはインナーカバー４が設けられている。図１においてはインナーカバー４の状態を二点鎖線で示し、インナーブーツ２の透視状態を一点鎖線で示す。
【００１１】
インナーカバー４は、インナーブーツ２のかかと部分２１、すね部分２２、甲部分２３及びつま先部分２４を覆うように一体的に形成されている。ちなみに、この実施形態ではインナーブーツ２のかかと部分２１、すね部分２２、甲部分２３及びつま先部分２４を一体として覆う最良の形態を示したが、設計上つま先部分２４を覆うことなくアウターブーツ３に固定される形態や、かかと部分２１を覆うことなくアウターブーツ３に固定される形態のように、実質的に足及び足首のほとんどを覆う形態も均等物であり、本発明の範囲内である。
【００１２】
また、インナーカバー４は、アウターブーツ３の内底外延に沿って、アウターブーツ３とともに縫製されることによりアウターブーツ３に固定されている。さらに、インナーカバー４は伸縮性を有していることが好ましいことから、ポリウレタンのように伸縮性のある樹脂材、ナイロン、ポリエステル等の材料に伸縮機能を付与した材料又は加工品、弾性繊維を織り込み伸縮性が発揮されるように構成された材料又は加工品を適宜選択して用いることができる。また、インナーカバー４が備えるべき伸縮性は特に高度である必要はなくスノーボードブーツ１に応じて適宜決定できる。
【００１３】
加えて、本実施形態のインナーカバー４は、インナーブーツ２との間に比較的大きな摩擦抵抗が生じるような素材を選択して用いる。これにより、インナーカバー４はインナーブーツ４を確実に保持し、インナーブーツ２がアウターブーツ３内を泳いでしまったり、かかと部分２１が浮いてしまったりすることを確実に防止できる。この場合、インナーカバー４全体をインナーブーツ２と摩擦抵抗を生じるような素材で構成することが好ましいが、インナーブーツ２に接する摩擦面を少なくとも含むように、この素材をインナーカバー４の一部に用いてもよいし、摩擦抵抗を生じる素材をインナーカバー４の一部に縫い合わせてもよい。
【００１４】
また、アウターブーツ３の舌革５には、剛性を備えた骨部材６が舌革５の延在方向に沿って１本設けられている。ちなみに、この骨部在６の太さ、本数、材質は限定されることはない。この骨部材６は、脚の甲の部分に沿って位置して脚の脛部分をサポートし、スノーボーダーの前傾姿勢を保つ。すなわち前傾方向にかかる力をバランスよく分散させ、体が前のめりにならないように脛部分を支える。これにより、スノーボーダーの姿勢を適切に維持することができる。
【００１５】
図２には、本実施形態のインナーブーツ２、アウターブーツ３、及びインナーカバー４を分解した状態を示す。上から順番に、着脱自在なインナーブーツ２、アウターブーツ３に固定されるインナーカバー４、アウターブーツ３である。インナーブーツ２と、これを覆うインナーカバー４を示す図には、それぞれかかと部分２１、４１、すね部分２２、４２、甲部分２３、４３、及びつま先部分２４、４４が示されている。
【００１６】
インナーカバー４は、図２の最下に示すアウターブーツ３に内接するように、固定され、このインナーカバー４に内接するように、インナーブーツ２が挿入される。インナーカバー４は、アウターブーツ３の内底外延に沿って、このアウターブーツ３とともに縫いこまれて固定されている。さらに、後に図説するが、アウターブーツ３の内側のかかと部分とインナーカバー４の外側のかかと部分とには、これらを接合するファスナーが設けられており、かかと部分におけるインナーカバー４の確実な保持が図られている。
【００１７】
さらに、スノーボードブーツ１の構造を明らかにするために、図３には、図１に示したスノーボードブーツのａ−ａ断面図を示した。ただし、ここでは判りやすく説明するためにインナーブーツ２を除いた状態のａ−ａ断面図を示している。  図３に示すように、内側の図示せぬインナーブーツ２を覆うインナーカバー４、このインナーカバー４の外側にあるアウターブーツ３が示されている。インナーカバー４は、すね部分４２、甲部分４３、つま先部分４４、さらに、かかと部分４１が一体となって図外のインナーブーツ２を覆っている。また、インナーカバー４はアウターブーツ３の内底外延に沿ってアウターブーツ３に縫いこまれている。また、アウターブーツ３のかかと部分３１とインナーカバー４のかかと部分４１との間にはファスナー７が設けられている。このファスナー７には、鉤とこの鉤を係止する部材が面状に設けられた面ファスナーを用いることが好ましい。ただし、このファスナー７の形状や種類は限定されることはない。
【００１８】
続いて、断面の方向を変えて、図４（ａ）には、図３に示したスノーボードブーツのｂ−ｂ断面のつま先方向をかかと方向から見た図を示し、図４（ｂ）には、図３に示したスノーボードブーツのｃ−ｃ断面のかかと方向をつま先方向から見た図を示した。ここにおいても図３と同様にインナーブーツ２を省略して図示している。
【００１９】
図４（ａ）に示すように、インナーカバー４は、アウターブーツ３とほぼ同じ高さまですね部分４２を形成し、すね部分４２から甲部分４３まで一体に連なり、アウターブーツ３の内底外延で固定されている。一方、図４（ｂ）に示すように、インナーカバー４はかかと部分４１を覆い内底外延に固定されている。また、インナーカバー４のかかと部分４１とアウターブーツ３のかかと部分との間にはファスナー７が設けられている。
【００２０】
これら図３及び図４（ａ）、（ｂ）からわかるように、インナーカバー４の上端縁は、すね部分４２からかかと部分４１へ向かって傾斜しつつ連なっている。このように、アウターブーツ３、インナーカバー４、インナーブーツ２が一体となった状態で、装着者、すなわちスノーボーダーは、スノーボードブーツ１に足を入れ、アウターブーツ３の靴紐を締める。ここで、本実施形態のスノーボードブーツ１の使用時の作用を説明する。
【００２１】
右利きのスノーボーダーが、滑走斜面の山側のエッジを立てて滑走する際には、進行方向前方に重心が移動し、膝は前傾となりインナーブーツ２のすね部分２２は前傾方向に押し出される。
【００２２】
この力はインナーカバー４に伝達され、インナーカバー４のすね部分４２も前傾方向に押されるが、本実施形態に係るインナーカバー４は、すね部分４２とともにかかと部分４１、甲部分４３、つま先部分４４が一体に形成され、インナーブーツのすね部分２２、かかと部分２１、甲部分２３、つま先部分２４を覆っている。
【００２３】
このため、インナーブーツ２のすね部分２２に与えられた力は、インナーカバー４のすね部分４２を介してかかと部分４１に伝わり、インナーブーツ２のかかと部分２１を保持する力として作用する。さらに、本実施形態に係るインナーカバー４は伸縮性を有しているため、インナーブーツ２のかかと部分２１は確実に保持される。
【００２４】
特に、スノーボーダーが、前傾姿勢をとると、そのかかとは持ち上がった状態となるが、この状態において、インナーブーツ２のかかと部分２１がインナーカバー４のかかと部分４１から滑ってしまっては「かかと」が浮いた状態となってしまい、ボードの操作性が不安定となってしまう。
【００２５】
この点、本実施形態では、インナーカバー４はインナーブーツ２と摩擦抵抗が生じる素材としたため、インナーブーツ２はインナーカバー４内を滑ることなく所定の位置に保たれる。加えて、本実施形態ではインナーカバー４のかかと部分４１とアウターブーツ３のかかと部分３１とを接合する面状のファスナー７が設けられている。よってインナーカバー４とアウターブーツ３との滑りや浮きが防止され、前傾状態においてかかとが浮いてしまう事態を防止することができる。なお、この摩擦を利用した保持、ファスナ−７を利用した保持はいずれか一方を採用するようにしてもよい。加えて、前傾姿勢によって押し出されたすね部分２２は、アウターブーツ３の舌革５に設けられた骨部材６によって支えられ、姿勢が前のめりにならないようにサポートされる。
【００２６】
さらに、このインナーカバー４はアウターブーツ３の内底外延に沿ってアウターブーツ３とともに縫いこまれているため、安定性が高く、偏った力が付与されてもインナーカバー４の全体に分散させることができる。
【００２７】
続いて、このスノーボーダーが、方向を転換して谷側のエッジを立てて滑走する場合には、背面方向に重心が移動し、かかと方向に力が加えられる。この力はインナーカバー４に伝達され、インナーカバー４のかかと部分４１も背面方向に押し出される。先述したとおり、本実施形態に係るインナーカバー４はかかと部分４１とともにつま先部分４４、甲部分４３、すね部分４２を一体に覆っているため、かかと部分４１に与えられた力は、インナーカバー４を介してかかと部分４１以外を保持する力として作用する。
【００２８】
このように、本実施形態にかかるスノーボードブーツ１は、インナーブーツ２を所定の位置で保持し、かかとの浮きを抑制し、ボードの操作性を向上させたスノーボードブーツを提供することができる。
【００２９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】本発明のスノーボードブーツの実施形態を示す全体斜視図である。
【図２】図１のスノーボードブーツを構成するインナーブーツ、インナーカバー、及びアウターブーツを示す。
【図３】図１のａ−ａ線に沿う断面図である。
【図４】図４（ａ）は図３のｂ−ｂ線に沿う断面図、図４（ｂ）は図３のｃ−ｃ線に沿う断面図である。
【符号の説明】
１…スノーボードブーツ
２…インナーブーツ
３…アウターブーツ
３１…アウターブーツの内底外延
３２…靴紐
４…インナーカバー
４１…かかと部分
４２…すね部分
４３…甲部分
４４…つま先部分
５…舌革
６…骨部材
７…ファスナー
【図１】
0004014410.tif 000002
【図２】
0004014410.tif 000003
【図３】
0004014410.tif 000004
【図４】
0004014410.tif 000005